(57)【要約】【課題】メンテナンスを有効に行うことのできるライン方式のインクジェット記録装置を提供すること。【解決手段】  記録媒体の幅方向に沿って配設されたノズル１３から記録媒体に向けてインクを吐出させて画像記録を行う記録ヘッド１０と、記録媒体を搬送方向に搬送させる媒体搬送手段１４と、記録ヘッド１０と記録媒体との間に備えられ、記録ヘッド１０に対応する開口部１８とインクを吸収するインク吸収部１９とを有するメンテナンスシート１５と、メンテナンスシート１５を搬送方向に搬送させるシート搬送手段１７と、画像記録の際には開口部１８が記録ヘッド１０に対向し、メンテナンスの際にはインク吸収部１９が記録ヘッド１０に接触するように、メンテナンスシート１５を搬送させるようにシート搬送手段１７を制御する制御部２６と、を備えることを特徴とする。【選択図】図１
2006256135.tif 000002
【特許請求の範囲】
【請求項１】
記録媒体の幅方向に沿って配設されたノズルから前記記録媒体に向けてインクを吐出させて画像記録を行う記録ヘッドと、
前記記録媒体を搬送方向に搬送させる媒体搬送手段と、
前記記録ヘッドと前記記録媒体との間に備えられ、前記記録ヘッドの配置に対応する位置に開口部が設けられたインク吸収部を有するメンテナンスシートと、
前記メンテナンスシートを搬送方向に搬送させるシート搬送手段と、
画像記録の際には前記開口部が前記記録ヘッドに対向し、かつメンテナンスの際には前記インク吸収部の前記開口部以外の領域が前記記録ヘッドに接触するように、前記メンテナンスシートを搬送させるように前記シート搬送手段を制御する制御部と、
を備えることを特徴とするインクジェット記録装置。
【請求項２】
請求項１に記載のインクジェット記録装置において、
画像記録の際には前記記録ヘッドに対向しない位置に退避しており、メンテナンス開始の際には前記記録ヘッドに対向する位置に移動し、メンテナンスの際には前記記録ヘッドに前記インク吸収部を押し付けながら往復移動する押し付け部材を備えることを特徴とするインクジェット記録装置。
【請求項３】
請求項２に記載のインクジェット記録装置において、
前記制御部は、メンテナンスの際には、一つの前記記録ヘッドの下方を前記インク吸収部の前記開口部間の一領域が複数回に分けて搬送されるように前記シート搬送手段を制御するとともに、前記搬送毎に前記記録ヘッドによる空吐出動作又は前記押し付け部材による拭き取り動作を行わせることを特徴とするインクジェット記録装置。
【請求項４】
記録媒体の幅方向に沿って配設されたノズルから前記記録媒体に向けてインクを吐出させて画像記録を行う記録ヘッドと、
前記記録媒体を搬送方向に搬送させる媒体搬送手段と、
前記記録ヘッドと前記記録媒体との間に備えられ、前記記録ヘッドの配置に対応する位置に開口部が設けられたインク吸収部を有するメンテナンスシートと、
前記メンテナンスシートを搬送方向に搬送させるシート搬送手段と、
画像記録の際には前記開口部が前記記録ヘッドに対向し、かつメンテナンスの際には一つの前記記録ヘッドの下方において前記インク吸収部の前記開口部間の一領域を複数回に分けて搬送させるように前記シート搬送手段を制御する制御部と、
を備えることを特徴とするインクジェット記録装置。
【請求項５】
請求項３又は４に記載のインクジェット記録装置において、
前記制御部は、一つの前記記録ヘッドに対して前記インク吸収部の前記開口部間の一領域が複数回対向するように前記メンテナンスシートを往復搬送させるように前記シート搬送手段を制御することを特徴とするインクジェット記録装置。
【請求項６】
請求項１〜５のいずれか一項に記載のインクジェット記録装置において、
前記制御部は、メンテナンスが終了した際には、前記記録ヘッドに対向した前記メンテナンスシートの領域を搬送させるように前記シート搬送手段を制御することを特徴とするインクジェット記録装置。
【請求項７】
請求項１〜６のいずれか一項に記載のインクジェット記録装置において、
前記インク吸収部は、０．５デニール以下の繊度で織られた高密度繊維であるとともに、前記高密度繊維は、ポリエステル、アクリル、ナイロンのうちいずれか一つあるいはこれらの組み合わせの材料から形成されていることを特徴とするインクジェット記録装置。
【請求項８】
請求項１〜７のいずれか一項に記載のインクジェット記録装置において、
前記記録ヘッドからのインク不吐出を検知する検知手段を備えており、
前記制御部は、前記検知手段がインク不吐出を検知した際には前記記録ヘッドのメンテナンスを行わせることを特徴とするインクジェット記録装置。
【請求項９】
請求項１〜８のいずれか一項に記載のインクジェット記録装置において、
前記インクは、２５℃の温度条件下において、粘度が１０〜５０［ｍＰａ・ｓ］、表面張力が２０〜４０［ｍＮ／ｍ］であることを特徴とするインクジェット記録装置。
【請求項１０】
請求項１〜９のいずれか一項に記載のインクジェット記録装置において、
前記インクは活性化エネルギー線硬化性化合物を含んでおり、当該活性化エネルギー線は紫外線であることを特徴とするインクジェット記録装置。
【発明の詳細な説明】
【技術分野】
【０００１】
本発明はインクジェット記録装置に係り、特に、記録ヘッドのメンテナンスを行うライン方式のインクジェット記録装置に関する。
【背景技術】
【０００２】
近年、種々の記録媒体に対して高精細な記録が可能な記録装置として、インクジェット方式を用いたインクジェット記録装置が広く普及している。インクジェット記録装置は、記録媒体に対向する記録ヘッドを有し、記録ヘッドに設けられた多数のノズルからインクを吐出し、記録媒体に着弾させて記録を行う。
【０００３】
インクジェット記録装置に採用される記録方式は、主に、記録媒体の搬送方向に直交する方向への記録ヘッドの走査と記録媒体の搬送とを交互に繰り返しながら記録を行うシリアル方式と、記録媒体上に位置固定された記録ヘッドから搬送される記録媒体に対して記録を行うライン方式とに大別される。
【０００４】
一般に、ライン方式のインクジェット記録装置においては、記録媒体の全幅に対向するように記録ヘッドのノズルを配設させるため、記録ヘッド自体を大型化させるか又は複数の記録ヘッドを記録媒体の幅方向に配置させる必要があるものの、記録ヘッドの往復移動を必要としないためシリアル方式のインクジェット記録装置に比べて高速の画像形成を行うことができるという利点がある。
【０００５】
そして、記録ヘッドのメンテナンスを行うライン方式のインクジェット記録装置としては、開口部が設けられたメンテナンスシートを記録ヘッドと記録媒体との間に搬送方向に移動可能に設けて、メンテナンスシートの開口部以外の領域に向けて空吐出を行うものがある（特許文献１参照）。このインクジェット記録装置によれば、画像記録の際には、記録ヘッドから吐出されたインクが前記開口部を通過して記録媒体に着弾して画像記録が行われ、メンテナンスの際には、記録ヘッドからメンテナンスシートの開口部以外の領域に向けて空吐出させてノズルの目詰まりを防止するようになっている。
【特許文献１】特開２００４−３４５１７４号公報
【発明の開示】
【発明が解決しようとする課題】
【０００６】
しかしながら、特許文献１に記載のインクジェット記録装置におけるメンテナンスとしては、メンテナンスシートに向けて記録ヘッドから空吐出を行うのみであり、粘度が高く濡れ性が悪いインクを用いた場合十分な効果を得ることが難しいという問題があった。また、記録ヘッドのノズル面に付着したインクまでを除去することができないという問題があった。
【０００７】
本発明はこのような点に鑑みてなされたものであり、記録ヘッドのメンテナンスを有効に行うことのできるライン方式のインクジェット記録装置を提供することを目的とするものである。
【課題を解決するための手段】
【０００８】
前記課題を解決するために、請求項１に記載の発明に係るインクジェット記録装置は、
記録媒体の幅方向に沿って配設されたノズルから前記記録媒体に向けてインクを吐出させて画像記録を行う記録ヘッドと、
前記記録媒体を搬送方向に搬送させる媒体搬送手段と、
前記記録ヘッドと前記記録媒体との間に備えられ、前記記録ヘッドの配置に対応する位置に開口部が設けられたインク吸収部を有するメンテナンスシートと、
前記メンテナンスシートを搬送方向に搬送させるシート搬送手段と、
画像記録の際には前記開口部が前記記録ヘッドに対向し、かつメンテナンスの際には前記インク吸収部の前記開口部以外の領域が前記記録ヘッドに接触するように、前記メンテナンスシートを搬送させるように前記シート搬送手段を制御する制御部と、
を備えることを特徴とする。
【０００９】
請求項１に記載の発明によれば、ノズルから記録媒体に向けてインクを吐出させて画像記録を行う記録ヘッドと記録媒体を搬送させる媒体搬送手段とを備えるライン方式のインクジェット記録装置において、メンテナンスシートが記録ヘッドと記録媒体との間に搬送可能に備えられている。そして、前記メンテナンスシートには、記録ヘッドの配置に対応する開口部が設けられたインク吸収部が備えられている。また、前記メンテナンスシートはシート搬送手段によって搬送されるようになっており、画像記録の際には、開口部が記録ヘッドに対向する。同様に、メンテナンスの際には、インク吸収部の開口部以外の領域が記録ヘッドに接触して、記録ヘッドのノズル面やノズルに付着したインクを除去する。
【００１０】
請求項２に記載の発明は、請求項１に記載のインクジェット記録装置において、
画像記録の際には前記記録ヘッドに対向しない位置に退避しており、メンテナンス開始の際には前記記録ヘッドに対向する位置に移動し、メンテナンスの際には前記記録ヘッドに前記インク吸収部を押し付けながら往復移動する押し付け部材を備えることを特徴とする。
【００１１】
請求項２に記載の発明によれば、画像記録の際には、押し付け部材は記録ヘッドに対向しない位置に退避している。従って、記録ヘッドによる画像記録を妨害することはない。また、押し付け部材は記録ヘッドに対向する位置に移動してから、メンテナンスの際にはインク吸収部を記録ヘッドに押し付けながら往復移動する。従って、インク吸収部は記録ヘッドに押し付けられてそのノズル面やノズルに付着したインクを除去する。
ここで、押し付け部材の記録ヘッドに対する移動速度は、インクの付着量などに応じて制御することにより調整可能である。そのため、二回目（復路）以降の移動速度を一回目（往路）の移動速度より小さくなるように制御して、記録ヘッドのノズル面やノズルに付着したインクを確実に除去しかつノズル内のインクのメニスカス面を整えることができるようになっている。
【００１２】
請求項３に記載の発明は、請求項２に記載のインクジェット記録装置において、
前記制御部は、メンテナンスの際には、一つの前記記録ヘッドの下方を前記インク吸収部の前記開口部間の一領域が複数回に分けて搬送されるように前記シート搬送手段を制御するとともに、前記搬送毎に前記記録ヘッドによる空吐出動作又は前記押し付け部材による拭き取り動作を行わせることを特徴とする。
【００１３】
請求項３に記載の発明によれば、メンテナンスの際には、シート搬送手段は一つの記録ヘッドの下方においてインク吸収部の開口部間の一領域を複数回に分けて搬送させる。また、前記搬送毎に記録ヘッドによる空吐出動作又は押し付け部材による拭き取り動作を行わせて、記録ヘッドのメンテナンスを行わせる。従って、インク吸収部の開口部間の一領域を用いて一つの記録ヘッドのメンテナンスを複数回行わせる。
ここで、押し付け部材による拭き取り動作とは、メンテナンスシートは停止した状態で、押し付け部材がインク吸収部の開口部以外の領域でかつ記録ヘッドに対向する領域を記録ヘッドのノズル面に押し付けながらノズル面の全幅に渡って移動して、インク吸収部によりノズル面やノズルに付着したインクを除去させる動作をいうものとする。
【００１４】
請求項４に記載の発明に係るインクジェット記録装置は、
記録媒体の幅方向に沿って配設されたノズルから前記記録媒体に向けてインクを吐出させて画像記録を行う記録ヘッドと、
前記記録媒体を搬送方向に搬送させる媒体搬送手段と、
前記記録ヘッドと前記記録媒体との間に備えられ、前記記録ヘッドの配置に対応する位置に開口部が設けられたインク吸収部を有するメンテナンスシートと、
前記メンテナンスシートを搬送方向に搬送させるシート搬送手段と、
画像記録の際には前記開口部が前記記録ヘッドに対向し、かつメンテナンスの際には一つの前記記録ヘッドの下方において前記インク吸収部の前記開口部間の一領域を複数回に分けて搬送させるように前記シート搬送手段を制御する制御部と、
を備えることを特徴とする。
【００１５】
請求項４に記載の発明によれば、メンテナンスの際には一つの記録ヘッドの下方においてインク吸収部の開口部間の一領域を複数回に分けて搬送させるので、メンテナンス動作を複数回行うことが可能である。従って、記録ヘッドやノズルに付着したインクを確実に除去するようになっている。
この際行われるメンテナンス動作としては、記録ヘッドによる空吐出動作や、押し付け部材による拭き取り動作などが挙げられるほか、これらのメンテナンス動作を組み合わせて行うことも可能である。
【００１６】
請求項５に記載の発明は、請求項３又は４に記載のインクジェット記録装置において、
前記制御部は、一つの前記記録ヘッドに対して前記インク吸収部の前記開口部間の一領域が複数回対向するように前記メンテナンスシートを往復搬送させるように前記シート搬送手段を制御することを特徴とする。
【００１７】
請求項５に記載の発明によれば、一つの記録ヘッドに対してインク吸収部の開口部間の一領域を複数回対向させて、記録ヘッドのメンテナンスを複数回行わせることができる。ここで、メンテナンスシートの複数回の往復搬送においてその搬送量を毎回変化させることによって、記録ヘッドには毎回インク吸収部の未使用部分が対向する。
【００１８】
請求項６に記載の発明は、請求項１〜５のいずれか一項に記載のインクジェット記録装置において、
前記制御部は、メンテナンスが終了した際には、前記記録ヘッドに対向した前記メンテナンスシートの領域を搬送させるように前記シート搬送手段を制御することを特徴とする。
【００１９】
請求項６に記載の発明によれば、メンテナンスが終了すると、記録ヘッドに対向したメンテナンスシートの領域は搬送されて記録ヘッドに対向しない位置に移動される。同時に、メンテナンスシートの未使用部分が繰り出されて記録ヘッドの下方に移動される。従って、メンテナンスが終了する毎に、記録ヘッドにはメンテナンスシートの未使用部分が対向する。
【００２０】
請求項７に記載の発明は、請求項１〜６のいずれか一項に記載のインクジェット記録装置において、
前記インク吸収部は、０．５デニール以下の繊度で織られた高密度繊維であるとともに、前記高密度繊維は、ポリエステル、アクリル、ナイロンのうちいずれか一つあるいはこれらの組み合わせの材料から形成されていることを特徴とする。
【００２１】
請求項７に記載の発明によれば、インク吸収部は、０．５デニール以下の繊度で織られた高密度繊維であるとともに、当該高密度繊維は、ポリエステル、アクリル、ナイロンのうちいずれか一つあるいはこれらの組み合わせの材料から形成されているので、粘性が高く濡れ性が悪いインクでも効率良く確実に吸収する。
【００２２】
請求項８に記載の発明は、請求項１〜７のいずれか一項に記載のインクジェット記録装置において、
前記記録ヘッドからのインク不吐出を検知する検知手段を備えており、
前記制御部は、前記検知手段がインク不吐出を検知した際には前記記録ヘッドのメンテナンスを行わせることを特徴とする。
【００２３】
請求項８に記載の発明によれば、検知手段によってインク不吐出が検知された際には記録ヘッドのメンテナンスを開始させるので、記録ヘッドの状態に応じてメンテナンスを行うようになっている。
【００２４】
請求項９に記載の発明は、請求項１〜８のいずれか一項に記載のインクジェット記録装置において、
前記インクは、２５℃の温度条件下において、粘度が１０〜５０［ｍＰａ・ｓ］、表面張力が２０〜４０［ｍＮ／ｍ］であることを特徴とする。
【００２５】
請求項９に記載の発明によれば、用いられるインクは、２５℃の温度条件下において、粘度が１０〜５０［ｍＰａ・ｓ］、表面張力が２０〜４０［ｍＮ／ｍ］であり、粘性が高くかつ濡れ性が悪いインクであるといえるが、このようなインクを用いても、インク吸収部を記録ヘッドのノズル面やノズルに接触させることにより、確実に付着したインクを除去することができる。
【００２６】
請求項１０に記載の発明は、請求項１〜９のいずれか一項に記載のインクジェット記録装置において、
前記インクは活性化エネルギー線硬化性化合物を含んでおり、当該活性化エネルギー線は紫外線であることを特徴とする。
【００２７】
請求項１０に記載の発明によれば、用いられるインクは活性化エネルギー線硬化性化合物を含んでおり、当該活性化エネルギー線は紫外線である。従って、紫外線を照射することで、インクを効率よく硬化させることができる。
【発明の効果】
【００２８】
請求項１に記載の発明によれば、画像記録の際には、記録ヘッドから吐出されたインクが開口部を通過して記録媒体に着弾するので容易に画像記録を行うことができる。また、メンテナンスの際には、インク吸収部が記録ヘッドに接触して記録ヘッドのノズル面やノズルに付着したインクを除去するのでノズルの目詰まりを有効に防止することができる。さらに、インク吸収部によってノズル先端部のインクが吸い取られ、ノズル内のインクのメニスカス面が整えられる。従って、メンテナンス後には吐出されるインク液滴の量が略均等になり、高精細な画像記録を行うことができる。
【００２９】
請求項２に記載の発明によれば、インク吸収部を記録ヘッドに押し付けて、記録ヘッドのノズル面やノズルに付着したインクを確実に除去することができるので、ノズルの目詰まりを有効に防止して高精細な画像記録を行うことができる。
【００３０】
請求項３に記載の発明によれば、インク吸収部の開口部間の一領域を用いて一つの記録ヘッドのメンテナンスを複数回行うことができるので、ノズルの目詰まりを有効に防止して高精細な画像記録を行うことができる。
【００３１】
請求項４に記載の発明によれば、メンテナンスシートに向けての空吐出やノズル面の拭き取りなどのメンテナンス動作を複数回行うことができるので、ノズルの目詰まりを確実に防止して高精細な画像を得ることができる。
【００３２】
請求項５に記載の発明によれば、インク吸収部の開口部間の一領域を用いて複数回記録ヘッドのメンテナンスを行うことができるとともに、毎回インク吸収部の未使用部分を用いることができるので、付着したインクが確実に除去されて、ノズルの目詰まりを防止して高精細な画像を得ることができる。
【００３３】
請求項６に記載の発明によれば、メンテナンスが終了する毎に記録ヘッドにはメンテナンスシートの未使用部分が対向するので、インク吸収部のインク吸収効率を下げることなくメンテナンスを行うことができる。従って、ノズルの目詰まりを有効に防止して高精細な画像を得ることができる。
【００３４】
請求項７に記載の発明によれば、粘性が高く濡れ性が悪いインクでも、インク吸収部を記録ヘッドのノズル面やノズルに接触させて付着したインクを確実に除去させることができるので、例えば、紫外線硬化型インクのような粘性が高く濡れ性が悪いインクを使用した場合においてもノズルの目詰まりを防止して高精細な画像を得ることができる。
【００３５】
請求項８に記載の発明によれば、インク不吐出など記録ヘッドにメンテナンスの必要性が発生した際に、適宜メンテナンスを行うことができる。従って、効率良くメンテナンスを行い、かつ高精細な画像記録を行うことができる。
【００３６】
請求項９に記載の発明によれば、粘性が高く、濡れ性が悪いインクにおいても、インク吸収部をノズル面やノズルに接触させて、付着したインクを確実に除去することができるので、例えば紫外線硬化性インクのような粘性が高く、濡れ性が悪いインクを使用した場合においても高精細な画像記録を行うことができる。
【００３７】
請求項１０に記載の発明によれば、用いられるインクは紫外線を照射することで効率よく硬化させることができるので、記録媒体を問わず、樹脂フィルム等のインク吸収性の乏しい記録媒体においても高精細な画像記録を行うことができる。
【発明を実施するための最良の形態】
【００３８】
以下に、本発明に係るインクジェット記録装置の実施の形態について、図面を参照して説明する。ただし、発明の範囲を図示例に限定するものではない。
［第一の実施形態］
【００３９】
図１及び図２は本実施形態におけるインクジェット記録装置１の縦断面図である。インクジェット記録装置１はライン方式のインクジェット記録装置であり、搬送方向に沿って長尺状の記録媒体が備えられている。搬送方向上流には、長尺状の記録媒体の後端を巻回している送り出し軸２が、記録媒体の幅方向に延在しかつ回転自在に備えられている。また、搬送方向下流には、記録媒体の前端を巻回している巻き取り軸３が、送り出し軸２と平行にかつ回転自在に備えられている。巻き取り軸３には回転駆動モータなどからなる図示しない搬送駆動部が接続されており、巻き取り軸３を所定の方向に回転させるようになっている。
【００４０】
送り出し軸２と巻き取り軸３との間には、記録媒体を搬送方向に搬送する媒体搬送手段４が備えられている。媒体搬送手段４には、記録媒体の下面に接触しながら搬送させる環状の搬送ベルト５が備えられている。搬送ベルト５の内周であって搬送方向の上流と下流には、記録媒体の幅方向に延在する一対の搬送ローラ６，６が回転自在に備えられている。搬送ローラ６の少なくとも一方には搬送ローラ６の回転を駆動する前記搬送駆動部が接続されており、搬送ローラ６を巻き取り軸３とともに回転させることで搬送ベルト５を搬送させるとともに記録媒体を搬送するようになっている。
【００４１】
搬送方向において上流側の搬送ローラ６の上方には、記録媒体を搬送ベルト５の上面に案内するガイドローラ７が回転自在に備えられている。ガイドローラ７はその自重により記録媒体の上面に当接し、かつ記録媒体の搬送に伴って回転するようになっている。また、巻き取り軸３の上方には、記録媒体を巻き取り軸３に案内するピンチローラ８が回転自在に備えられている。ピンチローラ８もガイドローラ７と同様に、その自重により記録媒体の上面に当接しかつ記録媒体の搬送に伴って回転するようになっている。
【００４２】
搬送ベルト５の上方には、所定の画像信号に基づいて記録媒体に向けて紫外線硬化型のインクを吐出させる複数の記録ヘッド１０…が備えられている。図３には、記録ヘッド１０の上方からの透視図を示す。図３に示すように、記録ヘッド１０はそれぞれ記録媒体の全幅に渡って千鳥状に備えられている。また、各記録ヘッド１０は図示しないインクタンクに連結されており、それぞれ所定の色（イエロー（Ｙ）、マゼンタ（Ｍ）、シアン（Ｃ）、ブラック（Ｋ））のインクを内蔵している。記録ヘッド１０の記録媒体に対向する面にはノズル面１２が設けられており、ノズル面１２には内蔵されたインクを吐出する複数のノズル１３が記録媒体の幅方向に沿って配設されている。
【００４３】
各ノズル１３には、例えば、アクチュエータとして電圧を印加することにより変形する圧電素子としてのピエゾ素子（図示せず）が付設されている。このピエゾ素子に駆動電圧を印加することによってピエゾ素子を変形させ、インク流路を圧縮してノズル１３からインクを吐出させるようになっている（図４（ｄ）参照）。なお、ノズル１３ではインク先端面が内側に引き込まれて曲面形状（メニスカス）を形成するようになっており、このメニスカス面の形状が正常に整えられていると正常なインク吐出を行うことができるようになっている。
【００４４】
各記録ヘッド１０には、インク不吐出を検知する検知手段１４（図６参照）がそれぞれ設けられている。この検知手段１４は、例えば、記録ヘッド１０から吐出されたインク液滴にレーザを照射するレーザ照射部（図示省略）と、このレーザ照射部からのレーザがインク液滴により反射されるか否かによりインクの不吐出を検知するレーザ検知部（図示省略）と、を備えている。
【００４５】
記録ヘッド１０と記録媒体との間には、ロール状のメンテナンスシート１５が備えられている。また、記録ヘッド１０の搬送方向上流と下流には、メンテナンスシート１５を巻回する回転軸１６，１６が両方向に回転自在に備えられている。各回転軸１６には図示しない回転駆動部を備えるシート搬送手段１７（図６参照）が接続されており、いずれか一方の回転軸１６を所定の方向に回転させるようになっている。
【００４６】
図３には、記録ヘッド１０とともにメンテナンスシート１５の平面図を示す。メンテナンスシート１５の幅寸法は、千鳥状に備えられた記録ヘッド１０の全てに対向するように形成されている。メンテナンスシート１５には、ノズル面１２に接触してノズル面１２やノズル１３に付着したインクを吸収するインク吸収部１９が備えられている。インク吸収部１９は、０．５デニール以下の繊度で織られた高密度繊維で構成されており、前記高密度繊維は、ポリエステル、アクリル、ナイロンのうちいずれか一つあるいはこれらの組み合わせの材料から形成されている。また、インク吸収部１９には、ノズル面１２と略同じ形状の開口部１８…が、各記録ヘッド１０の配置に対応する位置に形成されている。ここで、開口部１８の形状は、ノズル１３から吐出されたインクが通過できる形状であればよく、適宜変更可能である。
【００４７】
メンテナンスシート１５と記録媒体との間には、インク吸収部１９の開口部１８以外の領域をノズル面１２に押し付ける押し付け部材２０…が移動自在に備えられている。図４には、押し付け部材２０がインク吸収部１９をノズル面１２に押し付けてメンテナンス動作を行う様子を示す。押し付け部材２０には、例えば、メンテナンス信号に基づいて搬送方向に沿って回転されるカム（図示省略）と、カムに接続されて押し付け部材２０を押圧するバネ（図示省略）と、などが備えられている。従って、押し付け部材２０は前記カムを回転させることでノズル面１２に対して往復移動可能であるとともに、前記カムとともに移動させることでノズル面１２との距離が調整可能である。ここで、押し付け部材２０の移動速度としては、ノズル面１２に対して１０ｍｍ／ｓ以下であることが好ましい。移動速度を１０ｍｍ／ｓ以下にすることにより、ノズル面１２に付着したインクを確実にインク吸収部１９に吸収させるとともに、ノズル１３の先端のインクを吸収してメンテナンス面を整えるようになっている。
【００４８】
図５に示すように、押し付け部材２０は薄板状部材を湾曲させることにより断面弧状に形成されており、押し付け部材２０には複数のスリット２２が幅方向に所定間隔をもって形成されている。また、押し付け部材２０の幅寸法は、ノズル面１２の側辺より長くなるように形成されている。従って、押し付け部材２０が搬送方向に沿ってノズル面１２の全域を移動すると、インク吸収部１９はノズル面１２の全域に押し付けられるようになっている。なお、押し付け部材２０は適宜変更可能であり、メンテナンスの際にのみインク吸収部１９をノズル面１２の全域に押し付けることができるものであればよい。
【００４９】
また、押し付け部材２０は、ポリプロピレン、ポリエチレン、４−フッ化エチレン、４，６−フッ化プロピレンのうち少なくとも一つの材料を用いて形成されている。このような材料を使用している押し付け部材２０は、例えばカチオン系の紫外線硬化性インク等のような有機系溶剤を含むインクが付着しても膨潤・溶解することなく長期間使用することができるようになっている。なお、押し付け部材２０の材料としては、パーフロやテフロン（登録商標）などの耐インク性を有するものを用いてもよい。
【００５０】
記録ヘッド１０の下流には、記録ヘッド１０により吐出されて記録媒体に着弾したインクに活性化エネルギー線としての紫外線を照射させる紫外線照射装置２３が備えられている。紫外線照射装置２３には、紫外線領域の波長の光を照射する光源２４が備えられている。光源２４の上方には、光源２４からの紫外線を反射して記録媒体上に照射させる光源カバー２５が備えられている。
【００５１】
ここで、本実施形態において用いられる「記録媒体」としては、通常のインクジェット記録装置に適用される普通紙，再生紙，合成紙，光沢紙などの各種紙，各種布地，各種不織布，樹脂，金属，ガラスなどの材質からなるものが適用可能である。また、本実施形態に用いられる記録媒体としては、樹脂により表面を被覆した各種紙，顔料を含むフィルム，発泡フィルム等の公知の記録媒体も適用可能である。さらに、記録媒体の形態としては、長尺状、カットシート状、板状などが適用可能である。ここで、記録媒体としてカットシート状など不連続形態の記録媒体を用いる場合には、送り出し軸２や巻き取り軸３のような記録媒体を搬送させる機構に代えて、搬送ベルト５の上面に該記録媒体を順次案内するとともに画像記録された記録媒体を回収する媒体搬送手段が備えられているものとする。
【００５２】
また、本実施形態に用いられる「インク」について説明する。インクを硬化させる際、インクに含まれる重合性化合物を重合反応させるが、本実施形態において画像記録に用いられるインクは、重合性化合物として活性化エネルギー線硬化性化合物を含んでおり、重合反応を開始させる活性化エネルギーとして紫外線を使用した紫外線硬化性インクである。
【００５３】
紫外線硬化性インクには、重合性化合物として、ラジカル重合性化合物を含むラジカル硬化性インクとカチオン重合性化合物を含むカチオン硬化性インクとに大別されるが、どちらのインクも本実施の形態に用いられるインクとして適用可能であり、ラジカル硬化性インクとカチオン硬化性インクとを複合させたハイブリッド型インクを本実施の形態に用いられるインクとして適用してもよい。
【００５４】
しかしながら、酸素による重合反応の阻害が少ない又は無いカチオン硬化性インクのほうが機能性・汎用性に優れるため、本実施の形態ではカチオン硬化性インクを用いている。本実施の形態に用いられるカチオン硬化性インクは、具体的に、少なくともオキセタン化合物，エポキシ化合物，ビニルエーテル化合物などのカチオン重合性化合物と、光カチオン開始剤と、色材とを含む混合物であり、前記紫外線の被照射により硬化する性質を具備するものである。
【００５５】
また、本実施形態におけるインクは、２５℃の温度条件下において、粘度が１０〜５０［ｍＰａ・ｓ］、表面張力が２０〜４０［ｍＮ／ｍ］の液体であり、いわゆる粘性が高く、濡れ性が悪いインクとされている。しかしながら、インクの粘度が小さ過ぎて記録媒体上で滲んだり粘度が大き過ぎて画質の平滑性が失われたりするおそれがなく、また、前記の表面張力の範囲内であれば、着弾したインクが記録媒体上で適度に広がるため、高精細で鮮明な画像記録を行うことが可能となる。
【００５６】
次に、本実施形態の制御構成について、図６を参照しつつ説明する。
本実施形態に係るインクジェット記録装置には、媒体搬送手段４、記録ヘッド１０、紫外線照射装置２３、シート搬送手段１７、押し付け部材２０及び検知手段１４などに電気的に接続されるとともにこれらを制御する制御部２６が設けられている。制御部２６は、例えば、ＣＰＵ、ＲＯＭ、ＲＡＭ（いずれも図示せず）からなり、ＲＯＭに記録された処理プログラムをＲＡＭに展開してＣＰＵによりこの処理プログラムを実行するものである。
【００５７】
制御部２６は、搬送ベルト５上に記録媒体が案内されると、記録媒体を所定の速度で搬送させるように媒体搬送手段４を制御している。また、制御部２６は、図１に示すように画像記録の際には、開口部１８がノズル１３に対向するようにシート搬送手段１７を制御し、かつ画像信号に基づいてインクを吐出させるように記録ヘッド１０を制御している。さらに、制御部２６は、インクが着弾した記録媒体が搬送される際には、光源２４を点灯させるように紫外線照射装置２３を制御している。
【００５８】
制御部２６は、検知手段１４によってインク不吐出が検知されると、媒体搬送手段４により記録媒体の搬送を停止させてから、記録ヘッド１０のメンテナンスを行わせるように制御している。図２に示すようにメンテナンスの際には、メンテナンスシート１５を搬送させてインク吸収部１９の開口部１８以外の領域がノズル面１２に対向するようにシート搬送手段１７を制御している。また、押し付け部材２０を記録ヘッド１０の直下に移動させてから往復移動させて、インク吸収部１９がノズル面１２の全域に押し付けられるように制御している。
【００５９】
制御部２６は、メンテナンスが終了すると、シート搬送手段１７によってメンテナンスの際に記録ヘッド１０に対向したメンテナンスシート１５の領域を記録ヘッド１０に対向しない位置に移動させるようになっている。つまり、メンテナンスの際に記録ヘッド１０に対向したインク吸収部１９を搬送させて搬送方向下流側の回転軸１６に巻回させると同時に、未使用のインク吸収部１９が繰り出されて記録ヘッド１０の下方に搬送されるようになっている。
【００６０】
次に、本実施形態の作用について説明する。
始めに、記録媒体がその前端からガイドローラ７により搬送ベルト５の上面に案内される。記録媒体の前端が巻き取り軸３に巻回されると、媒体搬送手段４は巻き取り軸３を所定の方向に回転させて記録媒体を巻回させつつ送り出し軸２から順次繰り出す。この際、媒体搬送手段４は搬送ローラ６を回転させて搬送ベルト５を搬送させるとともに記録媒体を搬送させる。同時に、シート搬送手段１７はメンテナンスシート１５を搬送させて、ノズル面１２に開口部１８を対向させる（図１参照）。
【００６１】
そして、画像記録を開始させる。記録ヘッド１０は所定の画像信号に基づいてノズル１３から各色のインクを吐出させ、吐出されたインクは開口部１８を通過して記録媒体に着弾する。記録媒体のインク着弾領域が搬送されて紫外線照射装置２３に対向する際には、紫外線照射装置２３は光源２４を点灯させており、着弾したインクに向けて紫外線が照射される。
【００６２】
紫外線照射されてインクが定着した記録媒体は、さらに搬送されてピンチローラ８に案内されて巻き取り軸３に巻回される。
【００６３】
ここで、画像記録の際には、検知手段１４は各記録ヘッド１０においてインク不吐出のノズルの有無を検知している。検知手段１４がインク不吐出を検知すると、当該検知結果は制御部２６に送られる。すると、制御部２６は記録ヘッド１０のメンテナンスを開始させる（図２参照）。
【００６４】
まず、シート搬送手段１７によりメンテナンスシート１５を搬送させて、インク吸収部１９の開口部１８以外の領域をノズル面１２に接触させる。そして、制御部２６は押し付け部材２０をノズル面１２の直下に移動させてから、ノズル面１２の全域に渡って押し付け部材２０を所定の回数往復移動させる（図４（ｂ）参照）。すると、押し付け部材２０はメンテナンスシート１５をノズル面１２に押し付けながら移動するので、ノズル面１２の全域にインク吸収部１９が密着されてノズル面１２やノズル１３に付着したインクが吸収される。
【００６５】
ここで、押し付け部材２０の移動速度は調整可能であり、二回目（復路）以降の移動速度を１０ｍｍ／ｓ以下に調整する。押し付け部材２０は所定回数の往復移動が終了すると、その位置を下方にずらしてメンテナンスシート１５の押し付けを解除して、記録ヘッド１０に対向しない位置に退避する（図４（ｃ）参照）。
【００６６】
このようにしてメンテナンス動作が終了すると、制御部２６はシート搬送手段１７により、記録ヘッド１０に対向したメンテナンスシート１５の領域を搬送させる。すると、使用されたメンテナンスシート１５の領域が搬送されて回転軸１６に巻回されるとともに、メンテナンスシート１５の未使用部分が繰り出される。従って、メンテナンスが終了する毎に、記録ヘッド１０には未使用のメンテナンスシート１５が対向する。
【００６７】
以上のように、本実施形態によれば、インク吸収部１９を密着させてノズル面１２の拭き取りを行うことによって、ノズル面１２やノズル１３に付着したインクを除去して、ノズル１３の目詰まりを有効に防止することができる。また、押し付け部材２０の二回目以降の拭き取り速度を１０ｍｍ／ｓ以下に調整することにより、付着したインクを確実に除去することができる。さらに、インク吸収部１９によってノズル１３の先端部のインクが吸い取られて、ノズル１３内のインクのメニスカス面が整えられるので（図４（ｃ）参照）、メンテナンス後に吐出されるインク液滴の量を略均等にすることができる（図４（ｄ）参照）。従って、高精細な画像記録を行うことができる。
【００６８】
また、メンテナンスシート１５を記録ヘッド１０と記録媒体との間に備えても、吐出されたインクは開口部１８を通過して記録媒体に着弾するので、通常の記録動作で容易に画像記録を行うことができる。
【００６９】
さらに、記録ヘッド１０には常に未使用のメンテナンスシート１５が対向するので、インク吸収部１５のインク吸収効率を下げることなくメンテナンスを行うことが可能である。
【００７０】
なお、本実施形態においては、インク吸収部１９の開口部１８以外の領域がノズル面１２に対向する位置に搬送されてから、押し付け部材２０によりインク吸収部１９がノズル面１２に押し付けられるようになっているが、メンテナンスシート１５の上下方向における位置を調整して、インク吸収部１９をノズル面１２に接触させることとしてもよい。その場合、例えば、回転軸１６の両端を上下方向に移動自在に支持する位置調整手段などを備えることによって、回転軸１６とともにメンテナンスシート１５の上下方向における位置を調整する。そして、制御部２６が回転軸１６の位置を調整させることによって、記録ヘッド１０にインク吸収部１９を接触させることができる。
また、メンテナンスの際にインク吸収部１９をノズル面１２に接触させながら搬送させることとしてもよい。その場合、メンテナンスシート１５を連続的に搬送させ、記録ヘッド１０が開口部１８に対向するタイミングでインクを吐出させて画像記録を行うことも可能である。
【００７１】
また、記録ヘッド１０に検知手段１４を備え、検知手段１４による検知結果に基づいてメンテナンスを開始させることとしたが、検知結果によらず所定時間経過ごとにメンテナンスを行わせるものとしてもよい。
さらに、本実施形態においては一つのメンテナンスシート１５を用いて全ての記録ヘッド１０のメンテナンスを行うものとしたが、記録ヘッド１０のそれぞれにメンテナンスシート１５が一つずつ備えられるものとしてもよい。
［第二の実施形態］
【００７２】
次に、本発明に係る第二の実施形態について説明する。
本実施形態においては、各構成については第一の実施形態と略同様であるが、一つの記録ヘッド１０の下方をインク吸収部１９の開口部１８間の一領域が複数回に分けて搬送されるように、メンテナンスシート１５を微小量ずつ複数回搬送させるようになっている。ここで、搬送の回数はインク吸収部１９の開口部１８間の搬送方向における長さ寸法やノズル面１２のインク付着量に応じて適宜変更可能であるが、ここでは、一つのインク吸収部１９を三回に分けて記録ヘッド１０の下方において搬送させるものとして説明する。
【００７３】
本実施形態における制御部２７は、メンテナンスの際には一つの記録ヘッド１０の下方においてインク吸収部１９の開口部１８間の一領域を三回に分けて搬送するようにシート搬送手段１７を制御している。また、前記搬送毎に押し付け部材２０による拭き取り動作を行わせるように制御している。従って、本実施形態においては、以下のようにして記録ヘッド１０のメンテナンスを行うようになっている。
【００７４】
まず、シート搬送手段１７によりメンテナンスシート１５を搬送させて、インク吸収部１９の開口部１８間の一端部（図７における一回目拭き取り部分）をノズル面１２に対向させる。そして、制御部２７は押し付け部材２０をノズル面１２の直下に移動させてから、ノズル面１２の全域に渡って押し付け部材２０を一方向に移動させる。そして、ノズル面１２の全域にインク吸収部１９を密着させてノズル面１２やノズル１３に付着したインクを吸収させる。押し付け部材２０は往路を移動すると、その位置を一端下方にずらしてメンテナンスシート１５の押し付けを解除する。
【００７５】
その後、シート搬送手段１７はメンテナンスシート１５を微小量搬送させてインク吸収部１９の開口部１８間の中央部（図７における二回目拭き取り部分）をノズル面１２に対向させる。そして、制御部２７は、インク吸収部１９をノズル面１２に押し付けさせ、かつ押し付け部材２０を速度１０ｍｍ／ｓ以下で逆方向に移動させてインクを吸収させる。以下、制御部２７は一回目の拭き取り動作と同様に、押し付け部材２０の位置を下方にずらしてからメンテナンスシート１５を微小量搬送させて、三回目の拭き取り動作を開始させる。三回目の拭き取り動作においては、インク吸収部１９の開口部１８間の他端部（図７における三回目拭き取り部分）を用いてノズル面１２の拭き取り動作を行わせる。そして、押し付け部材２０を記録ヘッド１０に対向しない位置に退避させるとともに使用したメンテナンスシート１５を移動させて、メンテナンス動作を終了させる。
【００７６】
以上のように、本実施形態によれば、インク吸収部１９の開口部１８間の一領域を用いて一つの記録ヘッド１０のメンテナンス動作を複数回行うことができるので、ノズルの目詰まりを確実に防止することができる。また、メンテナンスシート１５は、メンテナンスの際には微小量ずつ搬送されかつメンテナンス終了後には記録ヘッド１０に対向していた領域が移動されるので、記録ヘッド１０には常に未使用のメンテナンスシートが接触する。従って、インク吸収部１９のインク吸収効率を下げることなくメンテナンスを行うことが可能であり、ノズル１３の目詰まりを有効に防止して高精細な画像を得ることができる。
【００７７】
なお、本実施形態においてはメンテナンスの際には、インク吸収部１９の開口部１８間の領域をノズル面１２に複数回密着させて付着したインクを拭き取るものとしたが、インク吸収部１９の開口部１８間の領域が対向した際に、記録ヘッド１０からインク吸収部１９に向けて空吐出動作を行わせるものとしてもよい。つまり、インク吸収部１９に向けて空吐出動作が行われてからシート搬送手段１７はメンテナンスシート１５を微小量搬送させて、インク吸収部１９の未使用部分を用いてノズル面１２の拭き取りを行い付着したインクを除去させる。このように、数種類のメンテナンス動作を組み合わせて行うことにより、ノズル１３の目詰まりをより確実に防止することも可能である。
【００７８】
また、本実施形態においては一回のメンテナンス動作でインク吸収部１９の開口部１８間の一領域を使用することとしたが、ノズル面１２に付着したインクが微量である際などには、メンテナンスシート１５を往復搬送させて複数回のメンテナンス動作でインク吸収部１９の開口部１８間の一領域を使用することとしてもよい。
【００７９】
つまり、インク吸収部１９の一回目拭き取り部分を用いて拭き取り動作又は空吐出動作を行わせてから、メンテナンスシート１５を逆方向に搬送させて記録ヘッド１０に開口部１８を再び対向させて画像記録を行わせる。そして、次のメンテナンスの際にはインク吸収部１９の二回目拭き取り部分を対向させて、拭き取り動作又は空吐出動作を行わせてから、再び記録ヘッド１０に同じ開口部１８を対向させて画像記録を行わせる。同様にして、インク吸収部１９の三回目拭き取り部分を対向させて拭き取り動作又は空吐出動作を行わせてから、メンテナンスシート１５を搬送させて下流側の次の開口部１８を記録ヘッド１０に対向させる。
【００８０】
このようにしてメンテナンスを行わせることにより、インク吸収部１９の開口部１８間の一領域でメンテナンス動作を複数回行うことができ、メンテナンスシート１５を効率良く用いることができる。また、メンテナンスが終了すると、対向するインク吸収部１９の最も近くの開口部１８に記録ヘッド１０が対向するようにメンテナンスシート１５を搬送させるので、メンテナンスシート１５の搬送にかかる時間の短縮が可能である。従って、効率良くメンテナンスを行いながら、第一の実施形態と同様の効果を得ることができる。
【００８１】
なお、本発明において、メンテナンスシート１５の搬送については適宜変更可能であり、例えば、拭き取り動作に用いたインク吸収部１９に向けて記録ヘッド１０から空吐出動作させることとしてもよい。
【図面の簡単な説明】
【００８２】
【図１】第一の実施形態におけるインクジェット記録装置の画像記録時の縦断面図である。
【図２】第一の実施形態におけるインクジェット記録装置のメンテナンス時の縦断面図である。
【図３】第一の実施形態におけるメンテナンスシート及び記録ヘッドの平面図である。
【図４】第一の実施形態におけるノズル面の拭き取りを示す説明図である。
【図５】第一の実施形態における押し付け部材の斜視図である。
【図６】第一の実施形態におけるインクジェット記録装置の制御構成を示すブロック図である。
【図７】第二の実施形態におけるメンテナンスシート及び記録ヘッドの平面図である。
【符号の説明】
【００８３】
１     インクジェット記録装置
４     媒体搬送手段
５     搬送ベルト
６     搬送ローラ
１０   記録ヘッド
１２   ノズル面
１３   ノズル
１４   検知手段
１５   メンテナンスシート
１７   シート搬送手段
１８   開口部
１９   インク吸収部
２０   押し付け部材
２３   紫外線照射装置
２６，２７    制御部
【図１】
2006256135.tif 000003
【図２】
2006256135.tif 000004
【図３】
2006256135.tif 000005
【図４】
2006256135.tif 000006
【図５】
2006256135.tif 000007
【図６】
2006256135.tif 000008
【図７】
2006256135.tif 000009